(57)【特許請求の範囲】
【請求項１】
一つのガス分析部に対して、第１サンプルガスライン、第２サンプルガスラインおよびゼロガスラインを、それぞれ、第１開閉弁、第２開閉弁および第３開閉弁を介して接続し、分析時、前記各開閉弁を適宜開閉操作して、第１サンプルガス、第２サンプルガスおよびゼロガスをこの順序で前記ガス分析部に対して順次供給し、そのときガス分析部から出力される信号を同期整流して、第１サンプルガスおよび第２サンプルガスにそれぞれ含まれる互いに異なる測定対象成分を分析するようにしたガス分析装置において、第１サンプルガスおよび第２サンプルガスについての校正時、前記ガス分析部に対する校正ガスの供給順序を、分析時における供給順序と異ならせ、第１サンプルガスについての校正時には、第１サンプルガスに対応する校正ガスおよびゼロガスを用いて、前記ガス分析部から出力される信号を同期整流し、さらにはスパン校正およびゼロ校正を行い、第２サンプルガスについての校正時には、第２サンプルガスに対応する校正ガスおよびゼロガスを用いて、前記ガス分析部から出力される信号を同期整流し、さらにはスパン校正およびゼロ校正を行うようにしたことを特徴とするガス分析装置における校正時の位相調整方法。
【請求項２】
第１サンプルガスについての位相調整および第２サンプルガスについての位相調整において使用する校正ガスとして同一の校正ガスを用いるようにしてなる請求項１に記載のガス分析装置における校正時の位相調整方法。
【発明の詳細な説明】
【０００１】
【発明の属する技術分野】
この発明は、例えば大気中や工場からの排気ガスに含まれる複数の成分をそれぞれ個別に定量分析することができるガス分析装置における校正時の位相調整方法に関する。
【０００２】
例えば大気中のＮＯx を測定する場合、ＮＯとＮＯX の濃度を同時に出力することが要求され、このような要求に応えるものとして特公平８−１０２１６号公報に示すように、一つのガス分析部に対して、第１サンプルガスライン、第２サンプルガスラインおよびゼロガスラインを、それぞれ、第１開閉弁、第２開閉弁および第３開閉弁を介して接続し、分析時、前記各開閉弁を適宜開閉操作して、第１サンプルガス、第２サンプルガスおよびゼロガスを前記ガス分析部に対して適宜の順序で供給し、そのときガス分析部から出力される信号を同期整流して、第１サンプルガスおよび第２サンプルガスにそれぞれ含まれる互いに異なる測定対象成分を分析するようにしたガス分析装置がある。
【０００３】
図１は、上記ガス分析装置の一例としてのＮＯX 計の構成を概略的に示すもので、この図において、１はガス分析部としての化学発光式ガス分析計で、このガス分析部１には、第１サンプルガスラインとしてのＮＯX ライン２、第２サンプルガスラインとしてのＮＯライン３およびゼロガスライン４が、それぞれ、常閉型の二方電磁弁５，６，７を介して互いに並列的に接続されているとともに、オゾンを導入するためのオゾンライン８が接続されている。
【０００４】
前記ＮＯX ライン２は、サンプルガス導入口９に連なるサンプルガスライン１０の下流側に連なり、サンプルガス導入口９を経て導入されるサンプルガスＳＧに含まれるＮＯおよびＮＯX のうち、ＮＯX を処理してＮＯに変換するコンバータ１１を備えてなるもので、コンバータ１１より下流側のＮＯX ライン２には、ＮＯのみを含むサンプルガスＳＧ1 が流れる。また、ＮＯライン３は、コンバータ１１より上流側においてサンプルガスライン１０から分岐しており、したがって、ＮＯライン３にはＮＯおよびＮＯX を含むサンプルガスＳＧ2 （これはサンプルガス導入口９から導入されるサンプルガスＳＧと同じである）が流れる。１２はゼロガスＺＧの導入口である。
【０００５】
さらに、図１において、１３は前置増幅器、１４は同期整流回路で、その出力は、図示していない信号処理部に送られる。
【０００６】
上記構成のＮＯX 計においては、分析に際しては、下記表１に示すように、常閉型の二方電磁弁５，６，７を開閉操作して、サンプルガスＳＧ1 ，ＳＧ2 ，ＺＧをガス分析部１に対して順次供給すると、ガス分析部１からは出力（検出器信号）としてＮＯX 、ＮＯ、ＺＧにそれぞれ対応する信号が出力される。なお、前記二方電磁弁５，６，７の開閉操作は、例えばコントローラ（図示していない）からの指令によって行われる。
【０００７】
そして、前記信号を、表１に示すように、ＮＯX ライン２およびＮＯライン３についてそれぞれ信号処理することにより、ゼロガス出力をそれぞれ基準としたＮＯX およびＮＯの濃度を表す信号が得られる。なお、表１において、○印は同期整流を行うタイミングを示し、×印は信号読み込みを行わないことを示している。
【０００８】
【表１】
0003771720.tif 000002
【０００９】
【発明が解決しようとする課題】
しかしながら、上記ＮＯX 計においては、ガスの反応遅れや電磁弁５，６，７における開閉の動作遅れ、または電気信号を処理する回路における応答遅れなどが生じることがあり、これをゼロガスを基準に同期整流をかけた場合、誤差が生ずることがある。
【００１０】
そこで、従来においては、実際の分析のときと同じように、校正ガスをＮＯX ライン２およびＮＯライン３に流すとともに、ゼロガスライン４にゼロガスＺＧを流して、校正を行うようにしていた。すなわち、濃度が既知であるＮＯX ガスおよびＮＯガスをサンプルガス導入口９から供給するとともに、ゼロガスＺＧをゼロガス導入口１２から供給し、上記表１に示した電磁弁の開閉パターンにしたがって二方電磁弁５，６，７を開閉操作して、ＮＯX ガス、ＮＯガス、ゼロガスＺＧをガス分析部１に対して順次供給して、そのときの検出器から得られる出力に基づいて位相調整を行うようにしていた。
【００１１】
すなわち、図３は、前記調整において得られる検出器出力を示すもので、この図において、ａはＮＯX ライン２の出力（ＮＯX 濃度を表す）であり、ｂはＮＯライン３の出力（ＮＯ濃度を表す）である。そして、図３において符号ｔ1 ，ｔ2 ，ｔ3 で示す時間を調整して位相調整を行うようにしていた。
【００１２】
しかしながら、図３に示す検出器出力からも理解されるように、ＮＯライン３の出力ｂがＮＯX ライン２の出力ａによる影響を受けて、正確に位相調整できないといった問題があった。また、上記の手法においては、相異なる校正ガスを用いる必要があった。
【００１３】
上述した問題は、ＮＯｘおよびＮＯの濃度を測定する場合のみならず、一つのガス分析部に対して、第１サンプルガスライン、第２サンプルガスラインおよびゼロガスラインを、それぞれ、第１開閉弁、第２開閉弁および第３開閉弁を介して接続し、分析時、前記各開閉弁を適宜開閉操作して、第１サンプルガス、第２サンプルガスおよびゼロガスをこの順序で前記ガス分析部に対して順次供給し、そのときガス分析部から出力される信号を同期整流して、第１サンプルガスおよび第２サンプルガスにそれぞれ含まれる互いに異なる測定対象成分を分析するようにしたガス分析装置においても同様に生じているところである。
【００１４】
この発明は、上述の事柄に留意してなされたもので、その目的は、互いに他のガスラインの影響を受けることなくしかも簡易に位相調整を行うことができるガス分析装置における校正時の位相調整方法を提供することである。
【００１５】
【課題を解決するための手段】
上記目的を達成するため、この発明では、一つのガス分析部に対して、第１サンプルガスライン、第２サンプルガスラインおよびゼロガスラインを、それぞれ、第１開閉弁、第２開閉弁および第３開閉弁を介して接続し、分析時、前記各開閉弁を適宜開閉操作して、第１サンプルガス、第２サンプルガスおよびゼロガスをこの順序で前記ガス分析部に対して順次供給し、そのときガス分析部から出力される信号を同期整流して、第１サンプルガスおよび第２サンプルガスにそれぞれ含まれる互いに異なる測定対象成分を分析するようにしたガス分析装置において、第１サンプルガスおよび第２サンプルガスについての校正時、前記ガス分析部に対する校正ガスの供給順序を、分析時における供給順序と異ならせ、第１サンプルガスについての校正時には、第１サンプルガスに対応する校正ガスおよびゼロガスを用いて、前記ガス分析部から出力される信号を同期整流し、さらにはスパン校正およびゼロ校正を行い、第２サンプルガスについての校正時には、第２サンプルガスに対応する校正ガスおよびゼロガスを用いて、前記ガス分析部から出力される信号を同期整流し、さらにはスパン校正およびゼロ校正を行うようにしている。
【００１６】
上記ガス分析装置における校正時の位相調整方法によれば、互いに他のガスラインの影響を受けることなく、位相調整を行うことができる。
【００１７】
【発明の実施の形態】
発明の実施の形態を、図面を参照しながら説明する。この発明で用いるガス分析装置の構成は、図１に示したものと変わるところがない。すなわち、分析に際しては、前記表１に示すように、常閉型の二方電磁弁５，６，７を開閉操作して、サンプルガスＳＧ1 ，ＳＧ2 ，ＺＧをガス分析部１に対して順次供給するように構成されている。この発明のガス分析装置における校正時の位相調整方法が従来と異なる点は、校正時、ガス分析部１に対する校正ガスの供給順序を、分析時における供給順序と異ならせ、二つのガスライン２，３において相互に影響を受けなくしたことである。以下、これについて、図１および図２を参照しながら説明する。
【００１８】
（１）ＮＯX ライン２の位相調整を行うには、スパン校正を行うのにＮＯガスを用いるとともに、ゼロ校正を行うのにゼロガスを用いる。すなわち、スパン校正用のＮＯガスをガス導入口９に供給するとともに、ゼロ校正用のゼロガスをガス導入口１２に供給する。そして、下記表２に示すように、常閉型の二方電磁弁５，６，７を開閉操作して同期整流を行い、さらに、スパン校正およびゼロ校正を行う。
【００１９】
【表２】
0003771720.tif 000003
【００２０】
上記表２に示すように、ＮＯX ライン２における電磁弁５は、ＮＯX ライン２の信号処理タイミングに合わせて開となるが、ＮＯライン３の信号処理タイミングにおいては、ゼロガスライン４における電磁弁７が常に開となっているため、ＮＯライン３に対応する信号がゼロ出力されることはない。つまり、検出器出力は、図２（Ａ）に示すように、ＮＯX ライン２の出力ａとゼロガスライン４の出力ｃのみとなり、ＮＯラインの出力の影響を受けることがない。なお、図２（Ａ）において、仮想線で示す信号は、図３における信号ｂを参考として表したものである。
【００２１】
（２）次に、ＮＯライン３の位相調整を行うに際しても、前記（１）に示したのと同様のガスを用いて校正を行う。そして、下記表３に示すように、常閉型の二方電磁弁５，６，７を開閉操作して同期整流を行い、さらに、スパン校正およびゼロ校正を行う。
【００２２】
【表３】
0003771720.tif 000004
【００２３】
上記表３に示すように、ＮＯライン３における電磁弁６は、ＮＯライン３の信号処理タイミングに合わせて開となるが、ＮＯX ライン２の信号処理タイミングにおいては、ゼロガスライン４における電磁弁７が常に開となっているため、ＮＯX ライン２に対応する信号がゼロ出力されることはない。つまり、検出器出力は、図２（Ｂ）に示すように、ＮＯライン３の出力ｂとゼロガスライン４の出力ｃのみとなり、ＮＯX ライン３の出力の影響を受けることがない。なお、図２（Ｂ）において、仮想線で示す信号は、図３における信号ａを参考として表したものである。
【００２４】
上述の実施の形態においては、ＮＯX ライン２およびＮＯライン３の校正を行うに際して、同じ校正ガス（ＮＯガス）を用いていたが、ＮＯX ライン２にはＮＯX ガスを、ＮＯライン３にはＮＯを用いるようにしてもよい。
【００２５】
【００２６】
また、上記の実施例においては、ガス分析装置としてＮＯX 計を例示しているが、この発明はこれに限られるものではなく、この発明は、一つのガス分析部に対して、二つのサンプルガスラインとゼロガスラインとが、それぞれ、開閉弁を介して接続してあるようなガス分析装置に広く適用することができる。
【００２７】
【発明の効果】
この発明によれば、一つのガス分析部に対して、二つのサンプルガスラインとゼロガスラインとが、それぞれ、開閉弁を介して接続してあるようなガス分析装置において、互いに他のガスラインの影響を受けることなくしかも簡易に位相調整を行うことができる。
【００２８】
また、この発明によれば、単一のスパン校正ガスを用いることにより、所定の位相調整を行うことができる。
【図面の簡単な説明】
【図１】  この発明で用いるガス分析装置の構成を概略的に示す図である。
【図２】  前記ガス分析装置において調整を行うときの検出器出力の一例を示す図である。
【図３】  従来技術を説明するための図である。
【符号の説明】
１…ガス分析部、２…第１サンプルガスライン、３…第２サンプルガスライン、４…ゼロガスライン、５…第１開閉弁、６…第２開閉弁、７…第３開閉弁、ＳＧ1 …第１サンプルガス、ＳＧ2 …第２サンプルガス、ＺＧ…ゼロガス。
【図１】
0003771720.tif 000005
【図２】
0003771720.tif 000006
【図３】
0003771720.tif 000007